(57)【要約】【課題】エレベータのかご内に設置した手摺を使用しないときには、手摺を容易に引っ込ませることによりかご内を広くし、引っ越し等に大物家具が手摺につかえてかご内に入らなくなる等の不都合を解消して、大量の荷物をエレベータのかご内に搬入することができるエレベータのかご内手摺を得る。【解決手段】エレベータのかご内に設けられた横棒２と、横棒２とかごの内室壁５を貫通して連結され、手摺を使用しないときには横棒２を内室壁５側へ引き込む引き込み棒６と、手摺を使用するときには引っ込み棒６に装着されて横棒２を所定の間隙をもって内室壁５に固定する差し込み棒８とを備える。【選択図】        図１
2004250130.tif 000002
【特許請求の範囲】
【請求項１】
エレベータのかご内に設けられた横棒と、
該横棒とかごの内室壁を貫通して連結され、手摺を使用しないときには上記横棒を上記内室壁側へ引き込む引き込み棒と、
手摺を使用するときには上記引っ込み棒に装着されて上記横棒を所定の間隙をもって上記内室壁に固定する固定部材と
を備えたことを特徴とするエレベータのかご内手摺。
【請求項２】
上記引っ込み棒の形状は丸形であることを特徴とする請求項１記載のエレベータのかご内手摺。
【請求項３】
上記引っ込み棒の形状は角形であることを特徴とする請求項１記載のエレベータのかご内手摺。
【請求項４】
上記固定部材は上記引っ込み棒に形成された穴に差し込まれて上記引っ込み棒に装着される差し込み棒であることを特徴とする請求項１〜３のいずれかに記載のエレベータのかご内手摺。
【請求項５】
上記差し込み棒をネジ式としたことを特徴とする請求項４記載のエレベータのかご内手摺。
【請求項６】
上記固定部材は上記内室壁と上記横棒との間に嵌入され、上記引っ込み棒にネジで固定して装着される枠状の差し込み台であることを特徴とする請求項１〜３のいずれかに記載のエレベータのかご内手摺。
【発明の詳細な説明】
【０００１】
【発明の属する技術分野】
この発明は、エレベータのかご内手摺に関し、特に、例えばマンションの引っ越し等で大物家具が搬入される場合等に用いて好適なエレベータのかご内手摺に関するものである。
【０００２】
【従来の技術】
図１０は、従来のエレベータのかご内手摺を示す構成図である。
図において、１は手摺、２は横棒、３は横棒２に取り付けられた取付金、４は固定ネジ、５はかごの内室壁である。
ここでは、手摺１は横棒２と取付金３とからなり、横棒２は固定ネジ４により取付金３を介して内室壁５に固定されている。
【０００３】
【発明が解決しようとする課題】
ところで、上述の如き従来のエレベータのかご内手摺は、エレベータのかご内に手摺を設置すると、手摺の横棒が固定されているので、その分だけかご内が狭くなりマンションの引っ越し等に大物家具が手摺につかえて入らなくなる等の問題点があった。
【０００４】
この発明は、このような従来の問題点を解決するためになされたものであり、エレベータのかご内に設置した手摺を使用しないときには、手摺を引っ込ませることによりかご内を広くし、引っ越し等に大物家具が手摺につかえてかご内に入らなくなる等の不都合を解消することができるエレベータのかご内手摺を提供することを目的とするものである。
【０００５】
【課題を解決するための手段】
請求項１の発明に係るエレベータのかご内手摺は、エレベータのかご内に設けられた横棒と、該横棒とかごの内室壁を貫通して連結され、手摺を使用しないときには上記横棒を上記内室壁側へ引き込む引き込み棒と、手摺を使用するときには上記引っ込み棒に装着されて上記横棒を所定の間隙をもって上記内室壁に固定する固定部材とを備えたものである。
【０００６】
請求項２の発明に係るエレベータのかご内手摺は、請求項１の発明において、上記引っ込み棒の形状が丸形である。
【０００７】
請求項３の発明に係るエレベータのかご内手摺は、請求項１の発明において、上記引っ込み棒の形状が角形である。
【０００８】
請求項４の発明に係るエレベータのかご内手摺は、請求項１〜３のいずれかの発明において、上記固定部材が上記引っ込み棒に形成された穴に差し込まれて上記引っ込み棒に装着される差し込み棒である。
【０００９】
請求項５の発明に係るエレベータのかご内手摺は、請求項４の発明において、上記差し込み棒がネジ式である。
【００１０】
請求項６の発明に係るエレベータのかご内手摺は、請求項１〜３のいずれかの発明において、上記固定部材が上記内室壁と上記横棒との間に嵌入され、上記引っ込み棒にネジで固定して装着される枠状の差し込み台である。
【００１１】
【発明の実施の形態】
以下に、図面を参照して、この発明の一実施の形態について説明する。
実施の形態１．
図１は、この発明の実施の形態１によるエレベータのかご内手摺の全体構成を示す断面図、図２は、この発明の実施の形態１によるエレベータのかご内手摺の横棒が引っ込んだ状態を示す断面図、図３は、この発明の実施の形態１によるエレベータのかご内手摺を構成する引っ込み棒と横棒の組み込みを説明するための斜視図、図４は、この発明の実施の形態１によるエレベータのかご内手摺における引っ込み棒に差し込み棒を装着した状態を示すもので、図４（ａ）はその上面図、図４（ｂ）はその線Ａ−Ａ断面図である。
【００１２】
各図において、１は手摺、２は手摺１の横棒、５はかごの内室壁、６は内室壁５を貫通して横棒２に連結される引っ込み棒であって、この引っ込み棒６は、エレベータのかご内に設置した手摺１を使用する通常時には、エレベータのかごの内側方向に押されて、その一面が内室壁５の外側に当接して実質的にストッパの役目をなす所定の形状例えば丸形の形状を有する頭部６ａと、この頭部６ａの中央部より突出し、内室壁５を貫通してその先端が、例えばサラネジからなる固定ネジ７（図３参照）により手摺１の横棒２に連結される丸形の棒状部６ｂとからなる。
【００１３】
引っ込み棒６の棒状部６ｂの内室壁５寄りには後述する差し込み棒が差し込まれる穴６ｃが設けられ、また、棒状部６ｂの先端部には、横棒２のネジ穴２ａに対向して、固定ネジ７がねじ込まれるネジ穴６ｄが設けられている。８は引っ込み棒６の棒状部６ｂに設けられた穴６ｃに差し込まれることで実質的に引っ込み棒６に装着されて、横棒２を内室壁５に所定の間隙をもって固定するための差し込み棒である。なお、横棒２と、引っ込み棒６と、差し込み棒８とは、手摺１を構成している。
【００１４】
次に、エレベータのかご内手摺の動作について説明する。
手摺１の横棒２は、上述の如く固定ネジ７により引っ込み棒６と連結されている。従って、エレベータのかご内に設置した手摺１を使用する通常時には、手摺１の横棒２は差し込み棒８が引っ込み棒６の穴６ｃに差し込まれることにより、図１に示すように、内室壁５に所定の間隙をもって固定される。
【００１５】
一方、例えばマンションの引っ越し等に大物家具をエレベータのかご内に搬入する場合等、エレベータのかご内に設置した手摺１を使用しないときには、引っ込み棒６の穴６ｃに差し込まれていた差し込み棒８を取り外し、横棒２をかごの外側方向に押すことで横棒２に連結されている引っ込み棒６により、手摺１の横棒２が、図２に示すように、内室壁５に接触するまで容易に引き込まれ、この結果かご内を広く利用できることになる。
【００１６】
このようにして、本実施の形態では、エレベータのかご内に設置した手摺を使用しないときには、手摺を容易に引っ込ませることができるので、かご内を広く利用することができ、例えばマンションの引っ越し等に大物家具が手摺につかえてかご内に入らなくなる等の不都合が解消され、大量の荷物をエレベータのかご内に搬入することができる。
【００１７】
実施の形態２．
図５は、この発明の実施の形態２によるエレベータのかご内手摺の引っ込み棒の部分を拡大して示す斜視図、図６は、この発明の実施の形態２によるエレベータのかご内手摺における引っ込み棒に差し込み棒を装着した状態を示すもので、図６（ａ）はその上面図、図６（ｂ）はその線Ｂ−Ｂ断面図である。
上記実施の形態１では、引っ込み棒の形状が丸形であったが、本実施の形態では、引っ込み棒の形状を角形とした場合である。
【００１８】
図５において、９はその形状が角形の引っ込み棒、９ａはその頭部、９ｂはその棒状部であって、この棒状部９ｂの内室壁５寄りには差し込み棒８が差し込まれる穴９ｃが設けられ、また、棒状部９ｂの先端部には固定ネジ７（図３）がねじ込まれるネジ穴９ｄが設けられている。このような構造とすることにより、上記実施の形態１では、図４（ｂ）からも分かるように、引っ込み棒６の棒状部６ｂと差し込み棒８の接触が、実質的に点接触であったが、本実施の形態では、図６（ｂ）からも分かるように、引っ込み棒９の棒状部９ｂと差し込み棒８の接触が、実質的に面接触となるので、それだけ引っ込み棒９に連結されている横棒２が内室壁５に確実に所定の間隙をもって固定されることになる。
【００１９】
なお、本実施の形態におけるエレベータのかご内手摺の動作については、上記実施の形態１と実質的に同様であり、エレベータのかご内に設置した手摺１を使用する通常時には、引っ込み棒９に連結された横棒２は差し込み棒８が引っ込み棒９の穴９ｃに差し込まれることにより、内室壁５に所定の間隙をもって固定される。
【００２０】
また、例えばマンションの引っ越し等に大物家具をエレベータのかご内に搬入する場合等、エレベータのかご内に設置した手摺１を使用しないときには、引っ込み棒９の穴９ｃに差し込まれている差し込み棒８を取り外し、横棒２をかごの外側方向に押すことで横棒２に連結されている引っ込み棒９により、手摺１の横棒２が内室壁５に接触するまで引き込まれ、この結果かご内を広く利用できることになる。
【００２１】
このようにして、本実施の形態でも、上記実施の形態１と同様に、手摺を引っ込ませることで、かご内を広く利用することができるようにして、引っ越し等に大物家具が手摺につかえてかご内に入らなくなる等の不都合を解消し、大量の荷物をエレベータのかご内に搬入することができ、さらに、本実施の形態では、差し込み棒と接触する引っ込み棒の特に棒状部の形状を角形とし、引っ込み棒の棒状部と差し込み棒の接触を面接触とすることで、引っ込み棒に連結された手摺の横棒を差し込み棒によって内室壁により確実に固定することができる。
【００２２】
実施の形態３．
図７は、この発明の実施の形態３によるエレベータのかご内手摺における引っ込み棒に差し込み棒を装着した状態を示すもので、図７（ａ）はその上面図、図７（ｂ）はその線Ｃ−Ｃ断面図である。
図７において、１０はネジ式の差し込み棒であって、このネジ式の差し込み棒１０を、丸形の引っ込み棒６の棒状部６ｂに設けられている穴６ｃにねじ込む。これにより、引っ込み棒６に連結された手摺２を差し込み棒１０により内室壁５に所定の間隙をもって固定することができる。また、上記実施の形態１および２で用いられている差し込み棒８の場合は、差し込み棒８に対して下方から力が加わった場合には、上側に飛び出すおそれがあるが、本実施の形態では、差し込み棒１０がネジ式であるので、差し込み棒１０に対して下方から力が加わっても、上側に飛び出すおそれはない。
【００２３】
なお、本実施の形態におけるエレベータのかご内手摺の動作については、上記実施の形態１と実質的に同様であり、エレベータのかご内に設置した手摺１を使用する通常時には、引っ込み棒６に連結された手摺２はネジ式の差し込み棒１０が棒状部６ｂの穴６ｃにねじ込まれることにより、内室壁５に所定の間隙をもって固定される。
【００２４】
また、例えばマンションの引っ越し等に大物家具をエレベータのかご内に搬入する場合等、エレベータのかご内に設置した手摺１を使用しないときには、引っ込み棒６の穴６ｃにねじ込んでいる差し込み棒１０を取り外し、横棒２をかごの外側に押すことで横棒２に連結されている引っ込み棒６により、手摺１の横棒２が内室壁５に接触するまで引き込まれ、この結果かご内を広く利用できることになる。
【００２５】
このようにして、本実施の形態でも、上記実施の形態１と同様に、手摺を引っ込ませることで、かご内を広く利用することができるようにして、引っ越し等に大物家具が手摺につかえてかご内に入らなくなる等の不都合を解消し、大量の荷物をエレベータのかご内に搬入することができ、さらに、本実施の形態では、差し込み棒として、ネジ式のものを用いるので、確実に引っ込み棒に連結された横棒を差し込み棒により内室壁に固定することができ、しかも、差し込み棒に対して下方から力が加わった場合でも、上側に飛び出すことはなく、引っ込み棒に連結された横棒を差し込み棒によって内室壁により確実に固定することができる。
【００２６】
実施の形態４．
図８は、この発明の実施の形態４によるエレベータのかご内手摺における引っ込み棒に枠状の差し込み台を装着した状態を示すもので、図８（ａ）はその上面図、図８（ｂ）はその線Ｄ−Ｄ断面図である
図８において、１１は枠状の差し込み台であって、この差し込み台１１は手摺１の横棒２と内室壁５の間に嵌入される本体部１１ａと、この本体部１１ａの４隅より延びるツバ１１ｂとからなる。１２は丸形の引っ込み棒６の棒状部６ｂに差し込み台１１の本体部１１ａを固定するネジである。
【００２７】
差し込み台１１は、エレベータのかご内に設置した手摺を使用する通常時には、手摺１の横棒２と内室壁５の間に丸形の引っ込み棒６の棒状部６ｂを両側から挟み込むようにして嵌入され、そして、引っ込み棒６の棒状部６ｂに差し込み台１１の本体部１１ａをネジ１２で固定することで実質的に引っ込み棒６に装着される。これにより、差し込み台１１は引っ込み棒６の棒状部６ｂにしっかり固定されるので、がたつくことなく確実に引っ込み棒６に連結された横棒２を差し込み棒８により内室壁５に所定の間隙をもって固定することができる。
【００２８】
次に、エレベータのかご内手摺の動作について説明する。
エレベータのかご内に設置した手摺１を使用する通常時には、手摺１の横棒２と内室壁５の間に丸形の引っ込み棒６の棒状部６ｂを両側から挟み込むようにして差し込み台１１の本体部１１ａが嵌入され、さらに、ネジ１２により引っ込み棒６の棒状部６ｂに差し込み台１１の本体部１１ａが固定される。
【００２９】
一方、例えばマンションの引っ越し等に大物家具をエレベータのかご内に搬入する場合等、エレベータのかご内に設置した手摺１を使用しないときには、引っ込み棒６に嵌入されている差し込み台１１を取り外し、横棒２をかごの外側に押すことで横棒２に連結されている引っ込み棒６により、手摺１の横棒２が内室壁５に接触するまで引き込まれ、この結果かご内を広く利用できることになる。
【００３０】
このようにして、本実施の形態でも、上記実施の形態１と同様に、手摺を引っ込ませることで、かご内を広く利用することができるようにして、引っ越し等に大物家具が手摺につかえてかご内に入らなくなる等の不都合を解消し、大量の荷物をエレベータのかご内に搬入することができ、さらに、本実施の形態では、手摺と内室壁の間で丸形の引っ込み棒の棒状部を両側から枠状の差し込み台で挟み込み、更に、この枠状の差し込み台をネジにより引っ込み棒の棒状部に固定するので、確実に引っ込み棒に連結された横棒を差し込み台により内室壁に所定の間隙をもって固定することができる。
【００３１】
実施の形態５．
図９は、この発明の実施の形態５によるエレベータのかご内手摺における引っ込み棒に枠状の差し込み台を装着した状態を示すもので、図９（ａ）はその上面図、図９（ｂ）はその線Ｅ−Ｅ断面図である
本実施の形態では、枠状の差し込み台１１については、実質的に上記実施の形態４を同様のものを用いるので、ここでは、その説明を省略する。
【００３２】
差し込み台１１は、エレベータのかご内に設置した手摺を使用する通常時には、手摺１の横棒２と内室壁５の間に角形の引っ込み棒９の棒状部９ｂを両側から挟み込むようにして嵌入される。そして、引っ込み棒９の棒状部９ｂに差し込み台１１の本体部１１ａをネジ１２で固定することで、差し込み台１１を引っ込み棒９に装着する。これにより、差し込み台１１はネジ１２により引っ込み棒９の棒状部９ｂにしっかり固定され、しかも、広い範囲で引っ込み棒９の棒状部９ｂに面接触するので、がたつくことなく確実に引っ込み棒９に連結された横棒２を差し込み台１１により内室壁５に所定の間隙をもって固定することができる。
【００３３】
なお、本実施の形態におけるエレベータのかご内手摺の動作については、上記実施の形態４と実質的に同様であり、エレベータのかご内に設置した手摺１を使用する通常時には、手摺１の横棒２と内室壁５の間に角形の引っ込み棒９の棒状部９ｂを両側から挟み込むようにして差し込み台１１の本体部１１ａが嵌入され、さらに、ネジ１２により引っ込み棒９の棒状部９ｂに差し込み台１１の本体部１１ａが固定される。
【００３４】
一方、例えばマンションの引っ越し等に大物家具をエレベータのかご内に搬入する場合等、エレベータのかご内に設置した手摺１を使用しないときには、引っ込み棒９に嵌入されている差し込み台１１を取り外し、横棒２をかごの外側に押すことで横棒２に連結されている引っ込み棒９により、手摺１の横棒２が内室壁５に接触するまで引き込まれ、この結果かご内を広く利用できることになる。
【００３５】
このようにして、本実施の形態でも、上記実施の形態１と同様に、手摺を引っ込ませることで、かご内を広く利用することができるようにして、引っ越し等に大物家具が手摺につかえてかご内に入らなくなる等の不都合を解消し、大量の荷物をエレベータのかご内に搬入することができ、さらに、本実施の形態では、手摺と内室壁の間で角形の引っ込み棒の棒状部を両側から枠状の差し込み台で挟み込み、更に、この枠状の差し込み台をネジにより引っ込み棒の棒状部に固定するので、広い範囲で引っ込み棒の棒状部に面接触することができ、より確実に引っ込み棒に連結された横棒を差し込み棒により内室壁に所定の間隙をもって固定することができる。
【００３６】
【発明の効果】
以上のように、請求項１の発明によれば、エレベータのかご内に設けられた横棒と、該横棒とかごの内室壁を貫通して連結され、手摺を使用しないときには上記横棒を上記内室壁側へ引き込む引き込み棒と、手摺を使用するときには上記引っ込み棒に装着されて上記横棒を所定の間隙をもって上記内室壁に固定する固定部材とを備えたので、手摺を容易に引っ込ませてかご内を広く利用でき、引っ越し等に大物家具が手摺につかえてかご内に入らなくなる等の不都合を解消して、大量の荷物をエレベータのかご内へ搬入するのに寄与できるという効果がある。
【００３７】
また、請求項２の発明によれば、上記引っ込み棒の形状が丸形であるので、引っ込み棒に連結された手摺の横棒を差し込み棒によって内室壁に確実に固定することができるという効果がある。
【００３８】
また、請求項３の発明によれば、上記引っ込み棒の形状が角形であるので、引っ込み棒に連結された手摺の横棒を差し込み棒によって内室壁により確実に固定することができるという効果がある。
【００３９】
また、請求項４の発明によれば、上記固定部材が上記引っ込み棒に形成された穴に差し込まれる差し込み棒であるので、引っ込み棒に連結された手摺の横棒を差し込み棒によって内室壁に確実に固定するのに寄与できるという効果がある。
【００４０】
また、請求項５の発明によれば、上記差し込み棒がネジ式であるので、確実に引っ込み棒に連結された横棒を差し込み棒により内室壁に固定することができ、しかも、差し込み棒に対して下方から力が加わった場合でも、上側に飛び出すことはなく、引っ込み棒に連結された横棒を差し込み棒によって内室壁により確実に固定することができるという効果がある。
【００４１】
また、請求項６の発明によれば、上記固定部材が上記内室壁と上記横棒との間に嵌入され、上記引っ込み棒にネジで固定して装着される枠状の差し込み台であるので、より確実に引っ込み棒に連結された横棒を差し込み棒により内室壁に所定の間隙をもって固定することができるという効果がある。
【図面の簡単な説明】
【図１】この発明の実施の形態１によるエレベータのかご内手摺の構成を示す断面図である。
【図２】この発明の実施の形態１によるエレベータのかご内手摺の横棒が引っ込んだ状態を示す断面図である。
【図３】この発明の実施の形態１によるエレベータのかご内手摺を構成する引っ込み棒と横棒の組み込みを説明するための斜視図である。
【図４】この発明の実施の形態１によるエレベータのかご内手摺における引っ込み棒に差し込み棒を装着した状態を示すもので、図４（ａ）はその上面図、図４（ｂ）はその線Ａ−Ａ断面図である。
【図５】この発明の実施の形態２によるエレベータのかご内手摺の引っ込み棒の部分を拡大して示す斜視図である。
【図６】この発明の実施の形態２によるエレベータのかご内手摺における引っ込み棒に差し込み棒を装着した状態を示すもので、図６（ａ）はその上面図、図６（ｂ）はその線Ｂ−Ｂ断面図である。
【図７】この発明の実施の形態３によるエレベータのかご内手摺における引っ込み棒に差し込み棒を装着した状態を示すもので、図７（ａ）はその上面図、図７（ｂ）はその線Ｃ−Ｃ断面図である。
【図８】この発明の実施の形態４によるエレベータのかご内手摺における丸形の引っ込み棒に差し込み台を装着した状態を示すもので、図８（ａ）はその上面図、図８（ｂ）はその線Ｄ−Ｄ断面図である。
【図９】この発明の実施の形態５によるエレベータのかご内手摺における角形の引っ込み棒に差し込み台を装着した状態を示すもので、図９（ａ）はその上面図、図９（ｂ）はその線Ｅ−Ｅ断面図である。
【図１０】従来のエレベータのかご内手摺を示す断面図である。
【符号の説明】
１  手摺、  ２  横棒、  ５  内室壁、  ６，９  引っ込み棒、  ７  固定ネジ、  ８，１０  差し込み棒、  １１  差し込み台、  １２  ネジ。
【図１】
2004250130.tif 000003
【図２】
2004250130.tif 000004
【図３】
2004250130.tif 000005
【図４】
2004250130.tif 000006
【図５】
2004250130.tif 000007
【図６】
2004250130.tif 000008
【図７】
2004250130.tif 000009
【図８】
2004250130.tif 000010
【図９】
2004250130.tif 000011
【図１０】
2004250130.tif 000012